(57)【特許請求の範囲】
【請求項１】
フェース部、ソール部、サイド部、クラウン部及びホゼル部を有する中空のゴルフクラブヘッドであって、
クラウン部に貫通孔が設けられ、該貫通孔に非金属カバーが設けられているゴルフクラブヘッドにおいて、
該非金属カバーの材料のショアＤ硬度が５５以上８０以下であり、
該非金属カバーに凹部が設けられていることを特徴とするゴルフクラブヘッド。
【請求項２】
フェース部、ソール部、サイド部、クラウン部及びホゼル部を有する中空のゴルフクラブヘッドであって、
クラウン部に貫通孔が設けられ、該貫通孔に非金属カバーが設けられているゴルフクラブヘッドにおいて、
該非金属カバーは、繊維を含まないゴム又は樹脂からなり、
該非金属カバーに凹部が設けられていることを特徴とするゴルフクラブヘッド。
【請求項３】
請求項１又は２において、前記非金属カバーの材料が樹脂材料であることを特徴とするゴルフクラブヘッド。
【請求項４】
請求項１ないし３のいずれか１項において、前記凹部は、トウ・ヒール方向に延在することを特徴とするゴルフクラブヘッド。
【請求項５】
請求項４において、前記凹部は、フェース・バック方向に間隔をおいて複数本設けられていることを特徴とするゴルフクラブヘッド。
【請求項６】
請求項１ないし５のいずれか１項において、前記貫通孔は平面視における形状が略台形、トウ・ヒール方向に長い長方形、楕円形、三角形のいずれかであることを特徴とするゴルフクラブヘッド（ただし、「平面視」とはゴルフクラブヘッドを規定のライ角及びリアルロフト角で、水平面上にソール部を設置し、その状態で、水平面に対して垂直上方から視た場合をさす。）。
【請求項７】
請求項１ないし６のいずれか１項において、前記凹部は前記非金属カバーの上面に設けられ、かつ、該非金属カバーには、下面から突出して前記貫通孔に嵌合するように該貫通孔と同一形状を有した凸部が設けられていることを特徴とするゴルフクラブヘッド。
【発明の詳細な説明】
【技術分野】
【０００１】
本発明は、中空ゴルフクラブヘッドに係り、詳しくはクラウン部の一部を非金属材料にて構成した中空ゴルフクラブヘッドに関するものである。
【背景技術】
【０００２】
ドライバーやフェアウェーウッドなどのウッド型ゴルフクラブヘッドとして、中空の金属製のものが広く用いられている。一般に、中空のウッド型のゴルフクラブヘッドは、ボールをヒットするためのフェース部と、ゴルフクラブヘッドの上面部を構成するクラウン部と、ゴルフクラブヘッドの底面部を構成するソール部と、ゴルフクラブヘッドのトウ側、バック側及びヒール側の側面部を構成するサイド部と、ホゼル部とを有している。このホゼル部にシャフトが挿入され、接着剤等によって固定される。なお、最近では、ユーティリティクラブと称されるゴルフクラブも多く市販されており、このユーティリティゴルフクラブの１種として、上記ウッド型ゴルフクラブヘッドに類似した（即ち、フェース部、ソール部、サイド部及びクラウン部並びにホゼル部を有した）中空ヘッドを有するゴルフクラブも各種市販されている。
【０００３】
この中空ゴルフクラブヘッドを構成する金属としては、アルミニウム合金、ステンレスやチタン合金が用いられているが、近年は特にチタン合金が広く用いられている。
【０００４】
中空ゴルフクラブヘッドのクラウン部にスリットを設けることにより、反発性を改善すると共に、打ち出し角を高くすることが特許文献１に記載されている。特許文献１には、このスリットを、金属よりも弾性率が低い材料からなる補強材によって閉塞することが記載されている。
【０００５】
特許文献２には、中空ゴルフクラブヘッドの打撃時の金属音を低減するために、クラウン部に直径５〜１５ｍｍ程度の貫通孔を設け、この貫通孔にポリエステル系エラストマー、熱可塑性樹脂又はゴムよりなる消音部材を嵌入固着することが記載されている。
【０００６】
特許文献３には、外殻構造のゴルフクラブヘッドにおいて、クラウン部に、トップラインの長手方向に２０ｍｍ以上の長さを有している貫通溝又は貫通孔を設け、この貫通溝又は貫通孔に、他の部分よりもヤング率が小さい材料を充填することが記載されている。
【０００７】
特許文献４には、中空部を含むゴルフクラブヘッドのクラウン部及びソール部に応力低減構造を設けることが記載されている。
【０００８】
特許文献５には、中空ゴルフクラブヘッドのボディのトップ部に開口が設けられ、この開口がカーボン充填ナイロン等の繊維含有複合材料で閉鎖された構成が記載されている。
【０００９】
特許文献６には、クラウン部にスロットを設け、このスロットにエラストマー充填体を設けることが記載されている。
【先行技術文献】
【特許文献】
【００１０】
【特許文献１】特開２００３−２１０６２１
【特許文献２】特開２００１−０７０４８４
【特許文献３】特開平１０−２６３１１８
【特許文献４】特開２０１３−１６５９６２
【特許文献５】米国特許７，４９４，４２５
【特許文献６】米国特許７，５８２，０２４
【発明の概要】
【発明が解決しようとする課題】
【００１１】
本発明は、打撃したゴルフボールの初速が大きくなると共に、打ち出し角も高くなるゴルフクラブヘッドを提供することを目的とする。
【課題を解決するための手段】
【００１２】
本発明のゴルフクラブヘッドは、フェース部、ソール部、サイド部、クラウン部及びホゼル部を有する中空のゴルフクラブヘッドであって、クラウン部に貫通孔が設けられ、該貫通孔に非金属カバーが設けられているゴルフクラブヘッドにおいて、該非金属カバーに凹部が設けられているものである。
【００１３】
この非金属カバーの材料は樹脂材料であることが好ましい。非金属カバーの凹部は、トウ・ヒール方向に延在することが好ましく、また、複数本設けられることが好ましい。
【発明の効果】
【００１４】
本発明のゴルフクラブヘッドにあっては、クラウン部に貫通孔が設けられており、インパクト時にクラウン部が撓み易い。
【００１５】
本発明のゴルフクラブヘッドでは、この貫通孔に非金属カバーを設けているが、この非金属カバーに凹部を設けているので、ゴルフボールを打撃した時に撓んだゴルフクラブヘッドを元の形状へ戻す力を与えつつも、ヘッドの振動を吸収し、打感を向上させ、打撃した時のヘッドの撓み量を調整することができる。
【００１６】
そのため、本発明のゴルフクラブヘッドを備えたゴルフクラブを使用した場合、ゴルフボールの初速が大きくなると共に、打ち出し角も高くなる。そして、これらの作用が重畳することにより、飛距離が増大する。
【図面の簡単な説明】
【００１７】
【図１】実施の形態に係るゴルフクラブヘッドの平面図である。
【図２】図１のII−II線断面図である。
【図３】図２の一部の拡大図である。
【図４】非金属カバーの断面図である。
【図５】実施の形態に係るゴルフクラブヘッドのクラウン部の貫通孔付近の分解斜視図である。
【発明を実施するための形態】
【００１８】
以下、図１〜５を参照して実施の形態に係るゴルフクラブヘッドについて説明する。
【００１９】
このゴルフクラブヘッド１は、図１，２の通り、ヘッド本体１ａがフェース部２、ソール部３、サイド部４、クラウン部５及びホゼル部６を有した中空のドライバーヘッドである。
【００２０】
フェース部２はボールを打撃する面である。ソール部３はゴルフクラブヘッドの底面部を構成し、サイド部４はトウ側及びヒール側並びにバック（後面）側の側面部を構成している。クラウン部５はゴルフクラブヘッドの上面部を構成している。ホゼル部６には、シャフトが差し込まれ、接着剤により該シャフトが固着される。
【００２１】
このゴルフクラブヘッド１のクラウン部５の前縁Ｐの近傍には、トウ・ヒール方向に延在する貫通孔７が設けられている。この貫通孔７は非金属カバー８によって閉鎖されている。平面視（ゴルフクラブヘッド１を規定のライ角及びリアルロフト角で、水平面上にソール部３を設置し、その状態で、水平面に対して垂直上方から視た場合）における貫通孔７のトウ・ヒール方向の中心は、フェース面のトウ・ヒール方向の最大長さの中心を通り、且つトウ・ヒール方向に垂直なフェース・バック方向の直線Ｌｆｂ上又はその近傍に位置する。
【００２２】
この実施の形態では、クラウン部５には、貫通孔７を取り囲むように、クラウン部外表面５１よりも中空部側５２に凹んだ段部９が設けられており、非金属カバー８はこの段部９に取り付けられている。符号９５は、段部９がその周囲のクラウン部外表面５１から立ち下がる立下面よりなる段部側面を示している。段部側面９５とクラウン部外表面５１の境界部分が段部外縁９１，９２（９２ａ，９２ｂ），９３，９４（９４ａ，９４ｂ）である。この段部９の底面９６に非金属カバー８が載る。
【００２３】
貫通孔７は、前記平面視における形状が略台形であり、フェース側の辺縁７１とバック側の辺縁７３とが略平行であり、それぞれトウ・ヒール方向に延在している。貫通孔７のヒール側の辺縁７２（７２ａ，７２ｂ）とトウ側の辺縁７４（７４ａ，７４ｂ）のうち、フェース側の辺縁７２ａ，７４ａ同士は、フェース側ほど互いに接近するように、トウ・ヒール方向に対して斜交方向に延在している。バック側の辺縁７２ｂ，７４ｂ同士は、バック側ほど互いに接近するように、トウ・ヒール方向に対して斜交方向に延在している。
【００２４】
段部９も、前記平面視における形状が略台形であり、フェース側の段部外縁９１とバック側の段部外縁９３とが略平行であり、それぞれトウ・ヒール方向に延在している。段部９のヒール側の段部外縁９２（９２ａ、９２ｂ）とトウ側の段部外縁９４（９４ａ、９４ｂ）のうち、フェース側の外縁９２ａ，９４ａ同士は、フェース側ほど互いに接近するように、トウ・ヒール方向に対して斜交方向に延在している。バック側の段部外縁９２ｂ，９４ｂ同士は、バック側ほど互いに接近するように、トウ・ヒール方向に対して斜交方向に延在している。
【００２５】
非金属カバー８は、段部９に嵌合するように段部外縁９１〜９４と同一平面視形状を有している。この非金属カバー８には、下面８７から突出し、貫通孔７に嵌合するように貫通孔７と同一形状を有した凸部８Ａが設けられている。
【００２６】
非金属カバー８の上面８６には、トウ・ヒール方向に延在した複数本（この実施の形態では３本）の溝形の凹部８ａ，８ｂ，８ｃが設けられている。
【００２７】
非金属カバー８は、凸部８Ａが貫通孔７に差し込まれ、該凸部８Ａ周囲の下面８７が接着剤（粘着剤を包含する。）、両面接着テープ、平面ファスナ、ねじ留め等の付着手段によって段部９の底面９６に付着されている。なお、付着手段が両面接着テープ、平面ファスナ又はねじ留めである場合、非金属カバーを比較的容易に着脱することができる。
【００２８】
凹部８ａ，８ｂ，８ｃを除いて、非金属カバー８の上面は、周囲のクラウン部外表面５１と面一であるが、突出したり、凹んでいてもよい。
【００２９】
非金属カバー８の材料としては、ゴム又は樹脂等からなる材料が挙げられる。ゴムとしては、例えば天然ゴム、ポリブタジエンゴム、スチレンブタジエンゴム、イソプレンゴム等が挙げられる。樹脂としては、例えばアイオノマー樹脂、ウレタン樹脂、ポリエステル樹脂、ポリアミド樹脂等が挙げられる。特に、ウレタン樹脂が好適である。非金属カバーの材料のショアＤ硬度は５５以上、特に６５以上で、８０以下、特に７５以下であることが好適である。ショアＤ硬度をこの範囲とすることにより、ゴルフボールを打撃した時に撓んだゴルフクラブヘッドを、より早く元の形状へ戻す事ができる。
【００３０】
ゴルフクラブヘッド本体１ａは金属にて一体に構成されている。この金属としては、チタン、チタン合金、アルミ合金、ステンレス等が例示されるが、チタン合金が好適である。なお、ゴルフクラブヘッド１の一部が繊維強化樹脂などの非金属材料で構成されてもよい。また、ゴルフクラブヘッド１の一部、例えばソール部やサイド部に、合成樹脂、ゴム、エラストマー等よりなる装飾材や銘板が設けられてもよい。また、ゴルフクラブヘッド１にタングステン等よりなるウェイト材が設けられてもよい。
【００３１】
次に、このゴルフクラブヘッド１、特に貫通孔７、非金属カバー８及び段部９の寸法の好適範囲について説明する。
【００３２】
ゴルフクラブヘッド１がドライバーヘッドの場合、図１に示すように、ホゼル部６を除いたヘッドの前記平面視におけるトウ・ヒール方向の最大寸法Ｌ０は、特に制限はないが、１００ｍｍ以上、１５０ｍｍ以下である。
【００３３】
貫通孔７の最もフェース側の辺縁７１からクラウン部５の前縁Ｐまでの距離Ｄは５ｍｍ以上、特に１０ｍｍ以上であり、また３５ｍｍ以下、特に３０ｍｍ以下であることが好ましい。なお、クラウン部５の前縁Ｐとは、図３に示すソール状態（ゴルフクラブヘッド１を規定のライ角及びリアルロフト角で、水平面上にソール部３を設置した状態）のゴルフクラブヘッド１の直線Ｌｆｂにおける縦断面図において、クラウン部５とフェース部２との交わり部における接線が水平面に対し４５°となる位置を表わす。距離Ｄをこの範囲とすることにより、クラウン部を撓み易くすることができる。
【００３４】
貫通孔７のトウ・ヒール方向の長さＬ１は２０ｍｍ以上、１００ｍｍ以下であることが好ましい。貫通孔７のフェース・バック方向（前後方向）の幅Ｗ１は２ｍｍ以上、３０ｍｍ以下であることが好ましい。
【００３５】
段部９のトウ・ヒール方向の長さＬ２は２５ｍｍ以上、１１０ｍｍ以下であることが好ましい。段部９のフェース・バック方向の幅Ｗ２は４ｍｍ以上、４０ｍｍ以下であることが好ましい。
【００３６】
非金属カバー８に設ける凹部８ａ，８ｂ，８ｃの幅Ｗ３は１ｍｍ以上、１０ｍｍ以下であることが好ましい。
【００３７】
凹部８ａ〜８ｃのトウ・ヒール方向の長さＬａ，Ｌｂ，Ｌｃは１５ｍｍ以上、１０５ｍｍ以下であることが好ましい。
【００３８】
非金属カバー８の凸部８Ａ部分における厚さＴ１は０．５ｍｍ以上、１０ｍｍ以下であることが好ましい。非金属カバー８の上面８６から下面８７までの厚さＴ２は０．２５ｍｍ以上、９．５ｍｍ以下であることが好ましい。
【００３９】
凹部８ａ，８ｂ，８ｃの深さＴ３は、０．１ｍｍ以上、９ｍｍ以下であることが好ましい。
【００４０】
凹部８ａ〜８ｃのフェース・バック方向における断面形状は、この実施の形態では、円弧形となっているが、Ｕ形、Ｖ形、四角形又は五角形以上の角形などであってもよい。
【００４１】
凹部の数は、特に制限はないが、１以上、１０以下である。
【００４２】
このように構成されたゴルフクラブヘッド１にあっては、クラウン部５に貫通孔７が設けられており、ゴルフボールを打撃した時にクラウン部５が撓み易い。この貫通孔７に凹部８ａ〜８ｃを有する非金属カバー８を設けることで、ゴルフボールを打撃した時に撓んだゴルフクラブヘッドを元の形状へ戻す力を与えつつも、ヘッドの振動を吸収し、打感を向上させ、打撃した時のヘッドの撓み量を調整することができる。
【００４３】
そのため、このゴルフクラブヘッド１を備えたゴルフクラブを、使用した場合ボールの初速が大きくなると共に、打ち出し角も高くなり、飛距離が増大する。
【００４４】
上記実施の形態では、貫通孔７は、前記平面視における形状が略台形であるが、トウ・ヒール方向に長い長方形や楕円形、三角形などであってもよい。
【００４５】
上記実施の形態では、各凹部８ａ〜８ｃはそれぞれトウ・ヒール方向に連続して延在する凹溝として設けられているが、途中の少なくとも１箇所で途切れていてもよい。また、前記平面視における形状が円形、楕円形、三角形、四角形、多角形等の凹穴をトウ・ヒール方向に複数個列状に配列してもよい。
【００４６】
本発明では、非金属カバー８の凸部８Ａの下面８５にも凹部を設けてもよい。
【００４７】
上記実施の形態では、貫通孔７及び非金属カバー８はクラウン部５の前縁Ｐ側にのみ設けられているが、サイド部４にも貫通孔を設け、非金属カバーで閉鎖するようにしてもよい。
【００４８】
上記説明は本発明の一例を表わすものであり、本発明は上記以外の構成とされてもよい。本発明は、ドライバー以外のフェアウェーウッドやユーティリティクラブのヘッドにも適用可能である。
【符号の説明】
【００４９】
１  ゴルフクラブヘッド
２  フェース部
３  ソール部
４  サイド部
５  クラウン部
６  ホゼル部
７  貫通孔
８  非金属カバー
８Ａ  凸部
８ａ〜８ｃ  凹部
９  段部
【図１】
0006503714.tif 000002
【図２】
0006503714.tif 000003
【図３】
0006503714.tif 000004
【図４】
0006503714.tif 000005
【図５】
0006503714.tif 000006